(57)【要約】【課題】光ディスク装置において、光ディスクを確実に保持する。【解決手段】光ディスク１４の上側に外周側ターンテーブル２４ｐを配置し、下側に内周側ターンテーブル２４ｑを配置する。光ディスク１４の装着時には内周側ターンテーブル２４ｑを光ディスク１４の内径に挿入し、マグネット５８とヨーク２５により外周側ターンテーブル２４ｐと内周側ターンテーブル２４ｑとを磁力で結合する。外周側ターンテーブル２４ｐと内周側ターンテーブル２４ｑはスピンドルモータ５０により一体的に回転駆動される。また、スピンドルモータ５０、スレッドモータ５２及び光ピックアップ１２は共通のベース２０に搭載される。【選択図】図１
2007299506.tif 000002
【特許請求の範囲】
【請求項１】
光ディスクの一方の面側に配置され、前記光ディスクの外周領域に当接する第１ターンテーブルと、
前記光ディスクの他方の面側に配置され、一部が前記光ディスクの内径に挿入される第２ターンテーブルと、
前記第２ターンテーブルに連結され、前記第２ターンテーブル及び前記光ディスクを回転駆動するスピンドルモータと、
前記スピンドルモータによる回転駆動時に前記第１ターンテーブルと前記第２ターンテーブルとを連結して一体的に回転駆動させる連結手段と、
を有することを特徴とする光ディスク装置。
【請求項２】
請求項１記載の装置において、さらに、
前記光ディスクの前記他方の面側に配置され、前記光ディスクの内周領域に当接して前記光ディスクを前記第１ターンテーブルに押圧するクランパと、
を有することを特徴とする光ディスク装置。
【請求項３】
請求項１記載の装置において、
前記スピンドルモータ及び光ピックアップは、前記光ディスクの他方の面側に配置された共通ベースに搭載されることを特徴とする光ディスク装置。
【請求項４】
請求項３記載の装置において、
前記光ディスクの排出時には、前記連結手段は前記第１ターンテーブルと前記第２ターンテーブルとの連結を解除し、前記共通ベースは前記光ディスクから離間する方向に移動して前記第２ターンテーブル及び前記光ピックアップを前記光ディスクから離間させることを特徴とする光ディスク装置。
【請求項５】
請求項１記載の装置において、
前記連結手段は、磁力により前記第１ターンテーブルと前記第２ターンテーブルとを連結させることを特徴とする光ディスク装置。
【請求項６】
光ディスクのレーベル面側に配置され、中心に開口が形成されて前記光ディスクの外周領域に当接する外周側ターンテーブルと、
前記光ディスクのデータ読み取り面側に配置され、前記光ディスク装着時には少なくとも一部が前記光ディスクの内径に挿入されて前記外周側ターンテーブルの前記開口に嵌合して前記外周側ターンテーブルと連結し、光ディスク排出時には前記外周側ターンテーブルとの連結が開放されて前記一部が前記光ディスクの内径から離間する内周側ターンテーブルと、
前記内周側ターンテーブルと連結されるスピンドルモータと、
前記スピンドルモータ及び光ピックアップを共通に搭載するベースであって、光ディスク装着時には前記光ディスクに近接する方向に移動して前記内周側ターンテーブルを前記光ディスクの内径に挿入し、光ディスク排出時には前記光ディスクから離間する方向に移動して前記内周側ターンテーブル及び前記光ピックアップを同時に前記光ディスクから離間させるベースと、
を有することを特徴とする光ディスク装置。
【発明の詳細な説明】
【技術分野】
【０００１】
本発明は光ディスク装置、特に光ディスクを回転自在に支持する構造に関する。
【背景技術】
【０００２】
従来より、光ディスクの振動を極力抑え、高品質でのデータの記録或いは再生を可能とする光ディスク装置の回転支持機構が提案されている。
【０００３】
以下、下記に示す特許文献に記載されたターンテーブル構造について説明する。
【０００４】
図５に、従来の光ディスク装置１０の構成を示す。情報記録媒体である光ディスク１４は、例えば、情報の記録あるいは再生が可能なＣＤやＤＶＤ等であり、光ディスク装置１０のハウジング（不図示）の内外を出入りするディスクトレー１６の収納位置１６ａに載置された状態で、光ピックアップ１２の動作領域に搬送される。光ピックアップ１２は、ハウジングに固定された基台１８上に載置されたピックアップベース２０に支持され、動作領域に搬送されてきた光ディスク１４の半径方向に移動しながら、情報の記録または再生を行う。情報の再生は、光ピックアップ１２内のレーザダイオード（ＬＤ）を駆動して再生パワーのレーザ光を光ディスク１４に向けて照射し、その反射光を光ピックアップ１２内のフォトディテクタで受光し、電気信号に変換して行われる。情報の記録は、記録すべきデータで変調した記録パワーのレーザ光を光ディスク１４に照射し、光ディスク１４の記録膜にピットを形成し、あるいは結晶状態を変化させて行われる。
【０００５】
光ディスク１４は、光ピックアップ１２の動作領域において、高速で回転することにより情報の記録／再生が行われる。このため、高速回転するターンテーブル上に固定される必要があり、アーチ型のブラケット２２に回転自在にターンテーブル２４が下向きに軸支される。光ディスク１４から見ると、ターンテーブル２４は上側に配置される。ブラケット２２の上にはモータが固定され、ターンテーブル２４を安定的に高速回転させる。
【０００６】
一方、基台１８上には、光ディスク１４をターンテーブル２４の底面側に押圧固定するクランパ２６を昇降させるための昇降機構２８が配置される。クランパ２６は、ピックアップベース２０を貫通するシャフト２６ａにより支持され、ピックアップベース２０の挙動とは全く分離した状態で昇降動作を行い、ディスクトレー１６により搬送されてきた光ディスク１４をターンテーブル２４に固定する。
【０００７】
クランパ２６の上面とターンテーブル２４の裏面中央部には、例えばマグネットがそれぞれ配置され、光ディスク１４は一対のマグネットにより強固に挟持され、安定した高速回転ができる。高速回転するターンテーブル２４は、光ピックアップ１２が支持されているピックアップベース２０と実質的に分離されているので、ターンテーブル２４を回転させるモータ等の振動が光ピックアップ１２に直接伝達されることはなく、ターンテーブル２４の回転が光ピックアップ１２の検出ノイズになることを防止できる。
【０００８】
光ピックアップ１２は、光ディスク１４の半径方向にシークしながら情報の記録／再生を行うため、ピックアップベース２０上で、例えば、ガイドバー（あるいはガイドレール）３０（１本のみ図示しているが、互いに平行する一対２本のガイドバーが好適である）に沿って、ラックピニオン機構等の駆動機構により移動する。この時、光ピックアップ１２の光軸は、ターンテーブル２４に支持され回転する光ディスク１４の面法線と一致するように配置されなければならない。この光軸と面法線が一致しない場合、記録／再生時の時間軸方向の変動成分（ジッタ）やトラッキング制御の悪化の原因となり、光ディスク装置１０の性能低下の原因になる。
【０００９】
ところが、光ピックアップ１２はガイドバー３０やピックアップベース２０に機械的に係合している。そのため、各部品の加工精度や組み立て精度により、前記光軸と法線が傾いてしまう。また、光ディスク１４自体が反っていたり、光ピックアップ１２自身の光軸の傾き等がある。このような様々な要因により、個々の光ディスク装置１０で光軸と法線が一致しないことが多いため、光ディスク装置１０は、組み立て後、または組み立て途中で、個体毎に光軸と法線の調整が必要になる。この場合、光軸と法線の両者間の傾きは、光ディスク半径方向の傾きと、光ディスク接線方向の傾き及びその合成方向の傾きとなる。この従来の光ディスク装置１０は、これらの傾きを補正し光軸と法線を容易に一致させるために、可撓性の板状部材と一対の調整部材を設けている。この時、一対の調整部材３４の調整のみで、傾き補正を実現している。具体的には、可撓性の板状部材として、板状のバネ部材３２でピックアップベース２０の一端を支持し、他端を一対の調整部材としてネジ部材３４で基台１８に対して垂直方向に移動可能に固定している。一対のネジ部材３４のいずれか一方を回すか、両者を互いに逆方向に回すことで、ピックアップベース２０は板バネ部材３２の捻れにより図中矢印Ａ方向（光ピックアップ１２の移動方向に直向する光ディスク接線方向あるいはタンジェンシャル方向）に傾き、光軸が調整される。一対のネジ部材３４を同じ方向に同じ量だけ回せば、ピックアップベース２０は板バネ部材３２の撓みにより図中矢印Ｂ方向（光ピックアップ１２の移動方向に平行な光ディスク半径方向あるいはラジアル方向）に傾き、光軸が調整される。
【００１０】
また、ターンテーブル２４の下面、すなわち光ディスク１４のレーベル面を支持する面は平坦面であるが、平坦面の所定位置に環状の突起が形成される。この環状突起２４ａ、２４ｂは、光ディスク１４が上動するクランパ２６によりターンテーブル２４の下面に押圧されたときにその外縁部が当接する位置に形成される。光ディスク１４には、大きさの異なる複数種類の光ディスク１４（例えば１２ｃｍ光ディスクと８ｃｍ光ディスク）が存在するため、環状突起も光ディスク１４の種類毎に形成される。すなわち、１２ｃｍ光ディスクの外縁が当接する位置、及び８ｃｍ光ディスクの外縁が当接する位置にそれぞれ形成される。
【００１１】
１２ｃｍ光ディスクを例にとると、光ディスク１４は上動するクランパ２６によりターンテーブル２４の下面に押圧される。光ディスク１４の中央部及び内周部はターンテーブル２４の下面に当接し、光ディスク１４の外縁部は環状突起に当接する。したがって、光ディスク１４は、断面形状が傘状の凹面形状となってターンテーブル２４に押圧され、ターンテーブル２４の回転によりこの形状を維持したまま回転する。
【００１２】
図６に、１２ｃｍ光ディスク１４をディスクトレー１６の収納位置１６ａに収納し、上動クランパ２６で光ディスク１４をターンテーブル２４の下面に押圧したときの状態を示す。１２ｃｍ光ディスク１４のレーベル面の外縁は２つの環状突起２４ａ、２４ｂのうちの第１の環状突起２４ａに当接し、光ディスク１４の中央部はターンテーブル２４の下面中央に当接する。この結果、光ディスク１４は断面形状が傘状に矯正され、個々の光ディスク１４で異なる反りが矯正される。図では光ディスク１４の断面形状は傘状となっているが、第１の環状突起２４ａの高さはわずか（０．３ｍｍ）であり、説明の都合上、強調して図示されている。
【００１３】
【特許文献１】特開２００５−１１６１０８号公報
【発明の開示】
【発明が解決しようとする課題】
【００１４】
このように、光ディスク１４のほぼ全面をターンテーブル２４に押圧することで光ディスク１４を矯正変形させ、高速駆動時の振動を抑制することが可能であるが、ターンテーブル２４及び駆動モータは光ディスク１４の上側に位置する一方で、光ピックアップ１２は光ディスク１４の下側に位置する構成であるため、位置合わせのために高精度な部品が要求され、コストが増加する問題がある。すなわち、光ピックアップ１２は光ディスク１４の回転駆動中にシークされるが、光ディスク１４の回転中心をシーク線上に位置させる必要があり、このためには駆動モータの回転中心と光ピックアップとの相対的位置を高精度に位置決めする必要があるところ、両者が光ディスク１４を挟んで互いに離れた位置にあると位置合わせが困難となる。
【００１５】
また、光ディスク１４排出時にはピックアップベース２０の挙動とは全く分離した状態で昇降動作を行うクランパ２６を下降させて光ディスク１４をディスクトレー１６上に自重で落下させ、その後にトレー１６を移動させて装置外部に排出するが、落下する光ディスク１４との衝突を避けるために光ピックアップ１２を別途、光ディスク１４の外周方向に退避させる必要があり、光ピックアップ１２の退避路を確保するために装置のサイズが増大し、かつ、光ピックアップ１２の退避時間を要するため光ディスク１４の排出時間が増大する問題があった。
【００１６】
本発明は、上記従来技術の有する課題に鑑みなされたものであり、その目的は、低コストで光ディスクを回転自在に保持でき、さらに、光ディスク排出時にも光ピックアップを別途、退避させる必要がない光ディスク装置を提供することにある。
【課題を解決するための手段】
【００１７】
本発明は、光ディスクの一方の面側に配置され、前記光ディスクの外周領域に当接する第１ターンテーブルと、前記光ディスクの他方の面側に配置され、一部が前記光ディスクの内径に挿入される第２ターンテーブルと、前記第２ターンテーブルに連結され、前記第２ターンテーブル及び前記光ディスクを回転駆動するスピンドルモータと、前記スピンドルモータによる回転駆動時に前記第１ターンテーブルと前記第２ターンテーブルとを連結して一体的に回転駆動させる連結手段とを有することを特徴とする。本発明において、さらに、前記光ディスクの前記他方の面側に配置され、前記光ディスクの内周領域に当接して前記光ディスクを前記第１ターンテーブルに押圧するクランパを有してもよく、クランパは第２ターンテーブルの周囲に配置されていてもよい。
【００１８】
本発明の１つの実施形態では、前記スピンドルモータ及び光ピックアップは、前記光ディスクの他方の面側に配置された共通ベースに搭載される。また、前記光ディスクの排出時には、前記連結手段は前記第１ターンテーブルと前記第２ターンテーブルとの連結を解除し、前記共通ベースは前記光ディスクから離間する方向に移動して前記第２ターンテーブル及び前記光ピックアップを前記光ディスクから離間させる。
【発明の効果】
【００１９】
本発明によれば、低コストで光ディスクを回転自在に保持できる。また、光ディスク排出時にも光ピックアップを別途、退避させる必要がなくなる。
【発明を実施するための最良の形態】
【００２０】
以下、図面に基づき本発明の実施形態について説明する。
【００２１】
図１に、本実施形態における光ディスク装置１０の構成を示す。図５に示す従来の光ディスク装置１０と異なる特徴の一つは、ターンテーブル２４が２分割されて光ディスク１４の一方の面側と他方の面側に配置されている点である。すなわち、ターンテーブル２４は外周側ターンテーブル２４ｐと内周側ターンテーブル２４ｑとに２分割され、外周側ターンテーブル２４ｐは光ディスク１４の上側（レーベル面側）に配置され、内周側ターンテーブルは光ディスク１４の下側（データ読み取り面側）に配置される。
【００２２】
外周側ターンテーブル２４ｐはクランパ（あるいはホルダ）２３に連結され、光ディスク１４のレーベル面の外周側に当接して光ディスク１４を保持する。外周側ターンテーブル２４ｐの中心には開口が形成され、この開口径は光ディスク１４の内径に略等しい。内周側ターンテーブル２４ｑは中心部にスピンドルモータ５０が連結されてスピンドルモータ５０により回転駆動される。内周側ターンテーブル２４ｑの外径は光ディスク１４の略内径に等しく、外周側ターンテーブル２４ｐの開口径に略等しい。内周側ターンテーブル２４ｑの周囲にはクランパ５４が配置され、クランパ５４は内周側ターンテーブル２４ｑに巻回されたバネ５６で光ディスク１４方向に付勢支持される。すなわち、クランパ５４は上下方向、すなわち矢印１００方向に移動自在に内周側ターンテーブル２４ｑに設けられる。クランパ５４の上端部にフランジが形成され、光ディスク１４のデータ面側の内周部に当接して光ディスク１４を押圧する。クランパ５４を付勢するバネ５６はコイルバネでもよく板バネでもよい。いずれにせよ、光ディスク１４はデータ面側のクランパ５４とレーベル面側の外周側ターンテーブル２４ｐとにより確実にホールドされる。内周側ターンテーブル２４ｑの一部（先端部あるいは突出部）は光ディスク１４の内径に挿入され、さらに外周側ターンテーブル２４ｐの中心開口に嵌合する。内周側ターンテーブル２４ｑの上端部にはマグネット５８が設けられ、クランパ（あるいはホルダ）２３に形成されたヨーク２５によりマグネット５８からの磁力線を外周側ターンテーブル２４ｐに導き外周側ターンテーブル２４ｐと内周側ターンテーブル２４ｑとを磁力により連結する。したがって、スピンドルモータ５０により内周側ターンテーブル２４ｑを回転駆動すると、外周側ターンテーブル２４ｐも内周側ターンテーブル２４ｑと一体的に回転する。なお、外周側ターンテーブル２４ｐはクランパ（ホルダ）２３にビス止めにより連結しており、マグネット５８とクランパ（ホルダ）２３が吸着することにより下側の内周側ターンテーブル２４ｑと上側の外周側ターンテーブル２４ｐが固定一体化する。
【００２３】
光ディスク１４の下側にはピックアップベース２０が配置され、このピックアップベース２０に光ピックアップ１２が設けられるとともにスピンドルモータ５０が設けられる。また、光ピックアップ１２を光ディスク１４の半径方向に移動させるスレッドモータ５２もベース２０上に設けられる。図５に示された従来技術と異なり、本実施形態ではスピンドルモータ５０、スレッドモータ５２及び光ピックアップ１２がこのように全て共通のベース（あるいは基板）２０に設けられているため、これら部材の間の位置合わせを容易に行うことができる。すなわち、スピンドルモータ５０の回転中心は、光ピックアップ１２の移動線上（シーク方向上）に位置することが要求されるが、同一のベース２０上にスピンドルモータ５０、スレッドモータ５２及び光ピックアップ１２を搭載することで、互いの位置決めが容易化される。
【００２４】
図２に、図１における外周側ターンテーブル２４ｐ、内周側ターンテーブル２４ｑ及び光ディスク１４を抜き出して示す。外周側ターンテーブル２４ｐは中心部に開口を有し、この開口に相当する位置に内周側ターンテーブル２４ｑが位置する。光ディスク１４の装着時に内周側ターンテーブル２４ｑの突出部が光ディスク１４の内径に挿入され、さらに外周側ターンテーブル２４ｐの中心開口にも挿入される。内周側ターンテーブル２４ｑのマグネット５８及びヨーク２５により外周側ターンテーブル２４ｐと内周側ターンテーブル２４ｑは磁力で連結される。内周側ターンテーブル２４ｑにはスピンドルモータ５０のスピンドルが連結され、回転駆動される。外周側ターンテーブル２４ｐと内周側ターンテーブル２４ｑとは磁力で連結されているから、上記のとおり外周側ターンテーブル２４ｐも内周側ターンテーブル２４ｑとともに回転駆動される。単に光ディスク１４の上側（レーベル面側）にクランパを配置し、クランパを光ディスク１４の外周部まで延在させる構成では、光ディスク１４の回転駆動時に光ディスク１４の厚さムラやクランパとターンテーブルに挟持された時の光ディスク１４の傾きの影響を受けて変動することになるが、本実施形態では外周側ターンテーブル２４ｐは内周側ターンテーブル２４ｑと一体となってスピンドルモータ５０により回転駆動されるので、光ディスク１４の厚さムラや光ディスク１４がクランパに挟持された時の傾きの影響を受けず光ディスク１４を安定して強固に保持することができる。
【００２５】
また、外周側ターンテーブル２４ｐには従来のターンテーブル２４と同様に環状突起２４ａ、２４ｂが形成される。したがって、例えば１２ｃｍ光ディスク１４が装着された場合、図６に示すように１２ｃｍ光ディスク１４のレーベル面の外縁は２つの環状突起２４ａ、２４ｂのうちの第１の環状突起２４ａに当接し、光ディスク１４の内周側は外周側ターンテーブル２４ｐに当接する。この結果、光ディスク１４は断面形状が傘状に矯正され、個々の光ディスク１４で異なる反りが矯正される。
【００２６】
なお、光ディスク１４の外周側は外周側ターンテーブル２４ｐで保持され、内周側は外周側ターンテーブル２４ｐ及びクランパ５４で保持されるが、クランパ５４は矢印１００方向に移動自在であってバネ５６により付勢されているから、光ディスク１４の厚さ変動はクランパ５４の上下動により吸収される。すなわち、クランパ５４は光ディスク１４をディスク面側から押圧して保持する機能と、光ディスク１４の厚さ変動を吸収する機能を併せ持つ。
【００２７】
図３に、光ディスク１４排出時の構成を示す。光ディスク１４の排出時には、外周側ターンテーブル２４ｐと内周側ターンテーブル２４ｑとの磁力結合が開放され、両者は２つに分割される。ピックアップベース２０は昇降機構により矢印２００で示すように下方に移動し、ベース２０に搭載されたスピンドルモータ５０、スレッドモータ５２、及び光ピックアップ１２も下方に移動する。内周側ターンテーブル２４ｑはスピンドルモータ５０に連結されているから、スピンドルモータ２０とともに下方に移動し、光ディスク１４から離脱して光ディスク１４を開放する。光ディスク１４は自重によりディスクトレー１６に落下し、その後矢印３００で示す方向に排出される。図５に示す従来の光ディスク装置１０では、上記のとおりクランパ２６はベース２０とは独立に下方に移動して光ディスク１４を開放するが、光ピックアップ１２は下降しないためそのままでは光ディスク１４が光ピックアップ１２上に落下してしまう。そのため、光ディスク１４の排出時にはクランパ２６の下降とは別に光ピックアップ１２を外周方向に退避させる必要があるが、本実施形態ではベース２０の下降により光ピックアップ１２も同時に下降するため、光ピックアップ１２を別途退避させる必要がない。このため、光ピックアップ１２を外周方向に退避させるための退避路を確保する必要がないため装置サイズを縮小化でき、かつ、光ディスク１４の排出時間も短縮できる。
【００２８】
光ディスク１４の装着時は、ベース２０が昇降機構により上方に移動し、内周側ターンテーブル２４ｑを光ディスク１４の内径部分に挿入するとともにクランパ５４のフランジを光ディスク１４の内周部分に当接させ、さらに光ディスク１４を上方に持ち上げて外周側ターンテーブル２４ｐに圧着させる。マグネット５８及びクランパ２３、ヨーク２５により外周側ターンテーブル２４ｐと内周側ターンテーブル２４ｑとを磁力により連結する。
【００２９】
以上説明したように、本実施形態では、従来のターンテーブル２４を外周側ターンテーブル２４ｐと内周側ターンテーブル２４ｑとに２分割し、外周側ターンテーブル２４ｐを光ディスク１４の上側（あるいはレーベル面側）に配置し、内周側ターンテーブル２４ｑを光ディスク１４の下側（あるいはデータ読み取り面側）に配置して、両ターンテーブル２４ｐ、２４ｑを磁力により結合して一体的に回転駆動することにより、光ディスク１４を確実に保持して高速回転時の振動等を抑制することができる。また、本実施形態では、同一のピックアップベース２０にスピンドルモータ５０、スレッドモータ５２、光ピックアップ１２を搭載しているので、スピンドルモータ５０の回転中心と光ピックアップの搭載位置の位置合わせが容易化され、コスト低減を図ることができる。さらに、光ディスク１４の排出時においてもスピンドルモータ５０と光ピックアップ１２とが同一ベース２０上に搭載されているため、排出時には光ピックアップ１２も同時に下降し、光ピックアップ１２を外周方向に退避させる必要がない。
【００３０】
なお、本実施形態では外周側ターンテーブル２４ｐと内周側ターンテーブル２４ｑとをマグネット５８及びクランパ２３、ヨーク２５で磁力により結合しているが、他の連結手段を用いてもよい。例えば、図４に示すように、光ディスク１４の装着時にはベース２０を昇降して内周側ターンテーブル２４ｑを光ディスク１４の内径に挿入しつつクランパ５４で光ディスク１４の内周部分を押圧するが、同時に外周側ターンテーブル２４ｐを板バネ６０で下方に向けて押圧することで外周側ターンテーブル２４ｐと内周側ターンテーブル２４ｑとを圧着させて連結してもよい。外周側ターンテーブル２４ｐあるいは内周側ターンテーブル２４ｑのいずれか一方に他方と係合する爪部を設け、両者を機械的に連結してもよい。
【００３１】
さらに、本実施形態では、既述したように内周側ターンテーブル２４ｑのマグネット５８及びヨーク２５により外周側ターンテーブル２４ｐと内周側ターンテーブル２４ｑを磁力で結合しているが、ヨーク２５ではなく外周側ターンテーブル２４ｐにもマグネット５８を設け、マグネット同士の磁力によってより強固に結合してもよい。この際に、２つのマグネット５８をともに多極着磁マグネットとして、結合時にマグネット同士の極合わせを容易化することが好適である。図７に、両面６極着磁マグネット５８を示す。内周側ターンテーブル２４ｑのマグネット５８と外周側ターンテーブル２４ｐのマグネット５８をともに６極着磁マグネット５８とし、互いに異極が対向するように配置することで磁力結合を容易にできる。なお、２つのマグネット５８のいずれかを中心軸回りに回転可能とし、光ディスク１４排出時にマグネット５８を回転させて互いに同極同士が対向するようにし、磁力結合の解除を容易化してもよい。マグネット５８の極数は任意に設定できる。
【図面の簡単な説明】
【００３２】
【図１】実施形態の光ディスク装置の構成図（光ディスク装着時）である。
【図２】図１におけるターンテーブルの構成図である。
【図３】実施形態の光ディスク装置の構成図（光ディスク排出時）である。
【図４】他の実施形態の光ディスク装置の構成図である。
【図５】従来の光ディスク装置の構成図である。
【図６】光ディスク装置の光ディスク圧着説明図である。
【図７】他の実施形態におけるマグネットの構成図である。
【符号の説明】
【００３３】
１０  光ディスク装置、１２  光ピックアップ、１４  光ディスク、２０  ピックアップベース、２３，５４  クランパ、２４ｐ  外周側ターンテーブル、２４ｑ  内周側ターンテーブル、２５  ヨーク、５０  スピンドルモータ、５２  スレッドモータ、５６  ばね、５８  マグネット。
【図１】
2007299506.tif 000003
【図２】
2007299506.tif 000004
【図３】
2007299506.tif 000005
【図４】
2007299506.tif 000006
【図５】
2007299506.tif 000007
【図６】
2007299506.tif 000008
【図７】
2007299506.tif 000009